(57)【特許請求の範囲】
【請求項１】
機器本体の内外を連通し、かつ前記機器本体に記録媒体を出し入れするための単一の挿入口と、
前記挿入口を介して入れられた前記記録媒体を前記機器本体内に搬送する搬送部と、それぞれが前記機器本体内に収容され、前記記録媒体に記録された情報の再生、又は前記記録媒体への情報の記録が可能である複数の情報処理部と、
前記複数の情報処理部それぞれを相対的に独立して前記記録媒体の搬送方向に対して略垂直な方向に移動する駆動部と、を備え、
前記搬送部は、前記挿入口から入れられた前記記録媒体を前記複数の情報処理部のうちいずれかに搬送するとともに、各情報処理部に前記記録媒体を搬送可能な位置間を変位自在に設けられ、前記搬送部の位置を、各情報処理部に記録媒体を搬送可能な位置のうちのいずれかに切り換える切り換え手段を備えたことを特徴とする情報処理装置。
【請求項２】
前記複数の情報処理部は、それぞれが前記記録媒体を装填して同時に前記情報の再生、また記録が可能であることを特徴とする請求項１に記載の情報処理装置。
【請求項３】
前記機器本体には、前記略垂直な方向に互いに間隔をあけて配され、かつ前記駆動部により互いに接離自在に設けられた複数の移動シャーシが設けられ、
前記複数の情報処理部が、それぞれ、前記移動シャーシに回転自在に設けられかつ前記記録媒体をクランプ可能な回転テーブルを有し、
前記駆動部は、前記複数の情報処理部におけるいずれかの回転テーブルに前記記録媒体をクランプする際には、当該回転テーブルを有する移動シャーシと他の移動シャーシとを相対的に近づけることを特徴とする請求項１又は請求項２に記載の情報処理装置。
【請求項４】
前記搬送部が前記複数の情報処理部のうちの一の情報処理部に前記記録媒体を搬送する際に、前記駆動部は、他の情報処理部の回転テーブルを有する移動シャーシを他の移動シャーシに近づけることを特徴とする請求項３に記載の情報処理装置。
【請求項５】
前記複数の情報処理部のうち少なくとも一つは、前記機器本体に固定するためのストッパ部を有し、
前記搬送部が前記複数の情報処理部のうちいずれかの情報処理部に前記記録媒体を搬送する際に、前記ストッパ部が前記機器本体に対して前記情報処理部を固定することを特徴とする請求項１ないし請求項４のうちいずれか一項に記載の情報処理装置。
【請求項６】
前記複数の移動シャーシのうちの少なくとも一つに、当該移動シャーシを前記機器本体に対して移動自在に支持するとともに、当該移動シャーシの移動を減衰させるダンパを取り付けたことを特徴とする請求項３ないし請求項５のうちいずれか一項に記載の情報処理装置。
【発明の詳細な説明】
【技術分野】
【０００１】
本発明は、例えば、自動車などに搭載されて、記録媒体の情報を再生する、または記録媒体に情報を記録する、または情報の記録及び再生を行う情報処理装置に関する。
【背景技術】
【０００２】
例えば、ＣＤ（Compact Disk）やＤＶＤ（Digital Versatile Disc）などの記録媒体に記録された情報を読み出して、再生するために、種々の情報処理装置（例えば、特許文献１参照）が用いられてきた。特許文献１に示された情報処理装置は、記録媒体を複数枚機器本体内に収容して、これらの記録媒体のうち一つの記録媒体から情報を読み出して音声情報として出力する。
【特許文献１】
特開平６−１９５８４４号公報
【発明の開示】
【発明が解決しようとする課題】
【０００３】
前述した特許文献１などに記載された従来の情報処理装置は、収納された複数枚の記録媒体から一枚の記録媒体の情報を読み出して、再生する。
【０００４】
近年の情報化社会に伴い、記録媒体が多種・多様化してきた。このため、例えば、ナビゲーション装置用のＤＶＤ―ＲＯＭと音楽用のＣＤとを同時に再生するなどの複数の記録媒体を同時に再生することが求められている。上記した従来の情報再生装置では、複数枚の記録媒体（例えば、ＤＶＤ―ＲＯＭやＣＤ）を収納して、それら記録媒体のいずれか一つを再生するということは可能であったが、それら記録媒体を同時に再生することはできなかった。それら複数の記録媒体を同時に再生するためには、各々の記録媒体を再生するための情報再生装置を互いに別体に設けておき、各情報再生装置で各々の記録媒体の再生を行うことで同時再生を可能としていた。また、情報の再生のみならず、情報の記録を同時に行う、または、情報の記録と再生を同時に行うことも考えられるが、そのためにも、情報の記録を行う情報記録装置や情報の再生を行う情報再生装置等複数の装置を別体に設ける必要があった。
［０００５］
このように、従来では、複数の記録媒体を同時に再生させる、又は情報を複数の記録媒体に同時に記録させる、又は記録媒体の再生と記録媒体への情報の記録を同時に行うためには、複数の装置を別体で用意しなければならず装置の設置にかかるスペースが増加する傾向であった。
［０００６］
本発明の目的は、例えば、設置スペースを増加させることなく、情報の記録や再生を複数の記録媒体に対して同時に処理することを可能とする情報処理装置を提供することにある。
［課題を解決するための手段］
［０００７］
前記課題を解決し目的を達成するために、請求項１に記載の本発明の情報処理装置は、機器本体の内外を連通し、かつ前記機器本体に記録媒体を出し入れするための単一の挿入口と、前記挿入口を介して入れられた前記記録媒体を前記機器本体内に搬送する搬送部と、それぞれが前記機器本体内に収容され、前記記録媒体に記録された情報の再生、又は前記記録媒体への情報の記録が可能である複数の情報処理部と、前記複数の情報処理部それぞれを相対的に独立して前記記録媒体の搬送方向に対して略垂直な方向に移動する駆動部と、を備え、前記搬送部は、前記挿入口から入れられた前記記録媒体を前記複数の情報処理部のうちいずれかに搬送するとともに、各情報処理部に前記記録媒体を搬送可能な位置間を変位自在に設けられ、前記搬送部の位置を、各情報処理部に記録媒体を搬送可能な位置のうちのいずれかに切り換える切り換え手段を備えたことを特徴としている。
【図面の簡単な説明】
［０００８］
［図１］本発明の一実施例にかかる情報処理装置としてのディスクプレーヤを示す斜視図である。
［図２］図１に示されたディスクプレーヤの構成を模式的に示す側方からみた説明図である。
［図３］図１に示されたディスクプレーヤの側断面図である。
［図４］図３に示されたディスクプレーヤの第２の再生ユニットにＤＶＤを搬送する状態を示す側断面図である。
［図５］図４に示された第２の再生ユニットの側面図である。
［図６］図５に示された第２の再生ユニットの突出ピンがスライド孔の底部に位置付けられた状態を示す側面図である。
【図７】図６に示された第２の再生ユニットの突出ピンがスライド孔の水平部に位置付けられた状態を示す側面図である。
【図８】図３に示されたディスクプレーヤの第１の再生ユニットにＣＤを搬送する状態を示す側断面図である。
【図９】図８に示された第１の再生ユニットなどの側面図である。
【図１０】図９に示された第１の再生ユニットの突出ピンがスライド孔の底部に位置付けられた状態を示す側面図である。
【図１１】図１０に示された第２の再生ユニットの突出ピンがスライド孔の水平部に位置付けられた状態を示す側面図である。
【図１２】図９に示された第１の再生ユニットなどの平面図である。
【図１３】図１０に示された第１の再生ユニットなどの平面図である。
【図１４】図１１に示された第１の再生ユニットなどの平面図である。
【図１５】図３に示された状態のディスクプレーヤの各ユニットの位置を模式的に示す側方からみた説明図である。
【図１６】図４に示された状態のディスクプレーヤの各ユニットの位置を模式的に示す側方からみた説明図である。
【図１７】図１６に示された第２の再生ユニットの回転テーブルにＤＶＤをクランプした状態を模式的に示す側方からみた説明図である。
【図１８】図８に示された状態のディスクプレーヤの各ユニットの位置を模式的に示す側方からみた説明図である。
【図１９】図１８に示された第１の再生ユニットの回転テーブルにＣＤをクランプした状態を模式的に示す側方からみた説明図である。
【図２０】図２に示されたディスクプレーヤの変形例の構成を模式的に示す側方からみた説明図である。
【図２１】図２に示されたディスクプレーヤの他の変形例の構成を模式的に示す側方からみた説明図である。
【図２２】図２に示されたディスクプレーヤの更に他の変形例の構成を模式的に示す側方からみた説明図である。
【図２３】図２に示されたディスクプレーヤの更に別の変形例の構成を模式的に示す側方からみた説明図である。
【図２４】図２に示されたディスクプレーヤの更に別の他の変形例の構成を模式的に示す側方からみた説明図である。
【符号の説明】
【０００９】
１  ディスクプレーヤ（情報処理装置）
２  ＣＤ（記録媒体）
３  ＤＶＤ（記録媒体）
４  機器本体
５  搬送ユニット（搬送部）
６ａ，６ｂ  再生ユニット（情報処理部）
８  挿入口
２１  回転テーブル
２４  駆動ユニット（駆動部）
４１  ストッパピン（ストッパ部）
５０  テーパ面（切り換え手段）
１００  回動アーム（切り換え手段）
【発明を実施するための最良の形態】
【００１０】
以下、本発明の情報処理装置の一実施形態として、記録媒体再生装置を例に挙げて説明する。なお、本発明の情報処理装置は、記録媒体再生装置に限ることなく、例えば、情報を記録媒体に記録する記録装置や、情報の再生及び記録を行う情報記録再生装置としても適用可能である。
【００１１】
本発明の情報処理装置の一実施形態としての記録媒体再生装置は、機器本体内の複数の情報処理部を記録媒体の搬送方向に略垂直な方向に互いに独立して移動自在とする駆動部を設けている。こうすることで、各々の情報処理部に単一の挿入口からの記録媒体の搬送を可能として、複数の記録媒体の再生を同時に行うために必要とされる設置スペースを増加させることなく、複数の記録媒体からの情報の再生を可能としている。
【００１２】
また、複数の情報処理部が同時に情報の再生を可能であっても良い。この場合、一つの機器本体を設置するだけで、複数の記録媒体を同時に再生することが可能となる。
【００１３】
さらに、記録媒体を搬送する搬送部を、各情報処理部に記録媒体を搬送可能な状態に変位自在に設け、該搬送ユニットを所望の情報処理部に記録媒体を搬送可能な状態に切り換える切り換え手段を備えても良い。この場合、一つの搬送ユニットで、各情報処理部に確実に記録媒体を搬送することができる。したがって、一つの搬送ユニットで各情報処理部に記録媒体を搬送できるので、複数の情報処理部を設けても機器本体の大型化を防止でき、搬送ユニットを複数（情報処理部と同数）設ける場合よりも設置にかかるスペースをより確実に減少させることができる。
【００１４】
また、回転テーブルを有する移動シャーシを他の移動シャーシに近づけて、回転テーブルに記録媒体をクランプさせても良い。この場合、回転テーブルとの間に記録媒体を挟む（クランプ）するクランプアームなどを設ける必要がない。したがって、機器本体の大型化を防止でき、設置にかかるスペースをより確実に減少させることができる。
【００１５】
さらに、搬送部が一つの情報処理部に記録媒体を搬送する際に、駆動部が他の情報処理部の回転テーブルを有する移動シャーシを他の移動シャーシに近づけても良い。この場合、記録媒体を出し入れする情報処理部以外の情報処理部では回転テーブルが移動シャーシに近づく。この場合、一つの情報処理部に記録媒体を出し入れする際に、機器本体内でのデッドスペースを減少させることができる。したがって、機器本体の大型化を防止でき、設置にかかるスペースをより確実に減少させることができる。
【００１６】
また、少なくとも一つの情報処理部が、機器本体に固定するためのストッパ部を備え、搬送部がいずれかの情報処理部に記録媒体を搬送する際にストッパ部で前述した情報処理部を機器本体に対して固定しても良い。この場合、機器本体に記録媒体を出し入れする際に、機器本体に対して情報処理部が位置決めされる。したがって、機器本体に挿入された記録媒体を情報処理部に向けて確実に搬送でき、機器本体外に排出される記録媒体を情報処理部から確実に機器本体外に排出できる。
【００１７】
さらに、少なくとも一つの移動シャーシにダンパを取り付けても良い。この場合、一つの移動シャーシにダンパを取り付けるため、該ダンパが移動シャーシを移動させる範囲も当然狭くても良い。このため、ダンパの大型化を防止して、該ダンパの小型化を図ることができる。したがって、機器本体の大型化を防止でき、設置にかかるスペースをより確実に減少させることができる。
【実施例】
【００１８】
以下、本発明の一実施例にかかる情報処理装置の一例としてのディスクプレーヤ（記録媒体再生装置に相当）１を、図１ないし図１９に基づいて説明する。図１などに示すディスクプレーヤ１は、移動体としての自動車のインストルメントパネル（以下、インパネと呼ぶ）などに取り付けられて、記録媒体としてのＣＤ２（図２などに示す）を一枚収容し、記録媒体としてのＤＶＤ３（図２などに示す）を一枚収容して、これらのＣＤ２及びＤＶＤ３に記録された情報を同時に読み出（再生）して、音声及び映像として出力する装置である。則ち、ディスクプレーヤ１は、複数の記録媒体を収容して、これら複数の記録媒体を同時に再生可能な装置である。ＣＤ２及びＤＶＤ３は、円板状即ちディスク状に形成されており、コンピュータなどの電子機器で読みとることのできる情報を記録した記録媒体である。
【００１９】
ディスクプレーヤ１は、図１及び図２に示すように、機器本体４と、搬送部としての搬送ユニット５（図３などに示す）と、複数の再生ユニット６と、制御手段としてのマイクロコンピュータ（以下、マイコンと記し、図１２に示す）７と、を備えている。なお、以下、ＣＤ２及びＤＶＤ３の表面と搬送ユニット５のＣＤ２及びＤＶＤ３の搬送方向との双方と平行な図１中の矢印Ｙをディスクプレーヤ１の奥行き方向と記し、ＣＤ２及びＤＶＤ３の表面と平行でかつ前記奥行き方向Ｙと直交する矢印Ｘをディスクプレーヤ１の幅方向と記し、ＣＤ２及びＤＶＤ３の表面と奥行き方向Ｙと幅方向Ｘの全てと直交する矢印Ｚをディスクプレーヤ１の厚み方向と記す。
【００２０】
機器本体４は、合成樹脂からなり、扁平な箱状に形成されている。機器本体４の前述したインパネに取り付けると乗員に相対する前面４ａ（図１に示す）には、ＣＤ２及びＤＶＤ３を出し入れ可能な挿入口８が一つのみ設けられている。なお、前面４ａは、機器本体４即ちディスクプレーヤ１がインパネに取り付けられると、該インパネの外側に露出する機器本体４の一つの面である。
【００２１】
挿入口８は、機器本体４の外壁を貫通している。挿入口８は、内側にＣＤ２及びＤＶＤ３を通すことができる。挿入口８を通して、前記ＣＤ２及びＤＶＤ３は、機器本体４内に収容されたり、該機器本体４内から排出される。即ち、挿入口８は、機器本体４の内外を連通して、機器本体４にＣＤ２及びＤＶＤ３を出し入れ自在とする。
【００２２】
さらに、前述した前面４ａには、表示パネルとしての蛍光表示管９と、各種のスイッチ１０とが設けられている。
【００２３】
蛍光表示管９は、前面４ａに露出して、使用者に対し各種の情報を表示する表示領域としての表示面を備えている。蛍光表示管９は、表示面に再生中のプログラム名等の情報を表示する。
【００２４】
各種のスイッチ１０は、使用者が操作するための操作部を構成している。スイッチ１０が使用者などに操作されることによって、例えば、再生ユニット６が再生するＣＤ２及びＤＶＤ３のプログラムの選択や、これらのＣＤ２及びＤＶＤ３の出し入れなどが行われる。
【００２５】
また、機器本体４内には、複数の移動シャーシ１１が収容されている。移動シャーシ１１は、板金などからなり、平板状に形成されている。移動シャーシ１１は、図示例では、三枚設けられている。移動シャーシ１１は、ＣＤ２及びＤＶＤ３の搬送方向に対して略垂直な方向に互いに間隔をあけて配され、かつ後述の駆動ユニット２４により互いに接離自在に設けられている。移動シャーシ１１は、図１２ないし図１４に示すように、平板状でかつ前述したＣＤ２及びＤＶＤ３の表面と略平行に配置される平板部１２と、この平板部１２の幅方向Ｘの両縁から立設した周板１３とを一体に備えている。
【００２６】
移動シャーシ１１は、平板部１２が互いに略平行な状態で、機器本体４内に収容されている。このため、移動シャーシ１１は、厚み方向Ｚと略平行でかつ移動シャーシ１１の平板部１２の表面と直交する矢印Ｋ（図２などに示す）に沿って、互いに間隔をあけて配されている。なお、矢印Ｋは、後述する情報処理部としての再生ユニット６同士が重なる方向と、前述した移動シャーシ１１同士が重なる方向との双方をなしている。
【００２７】
また、複数の移動シャーシ１１のうち図２中最も下方に位置する移動シャーシ１１（以下、符号１１ａで示す）には、図３、図４及び図８に示すように、ダンパ１４が取り付けられている。該ダンパ１４は、弾性変形自在であるとともに、機器本体４の内面に取り付けられている。則ち、移動シャーシ１１は、ダンパ１４によって、前記機器本体４に取り付けられている。ダンパ１４は、移動シャーシ１１を、機器本体４内で、該機器本体４に対して移動自在に支持し、かつ移動シャーシ１１の機器本体４に対する移動を徐々に減衰させる。
【００２８】
このように、前述した最も下方に位置する移動シャーシ１１ａ則ち複数の移動シャーシ１１のうち矢印Ｋ方向の端に位置する移動シャーシ１１ａには、ダンパ１４が取り付けられている。
【００２９】
さらに、移動シャーシ１１は、後述する駆動ユニット２４により矢印Ｋに沿って移動する。則ち、複数の移動シャーシ１１は、駆動ユニット２４により互いに接離自在となっている。
【００３０】
また、前述した移動シャーシ１１ａと、複数の移動シャーシ１１のうち図２中最も上方に位置する移動シャーシ１１（以下、符号１１ｂで示す）とには、ディスクガイド２０（図１５ないし図１９に示す）が取り付けられている。ディスクガイド２０は、移動シャーシ１１ａ，１１ｂの挿入口８寄りの端部に取り付けられている。ディスクガイド２０は、前述したＣＤ２及びＤＶＤ３との摩擦係数の小さい合成樹脂で構成され、かつ平板状に形成されているとともに、移動シャーシ１１ａ，１１ｂの平板部１２に重ねられている。さらに、ディスクガイド２０は、移動シャーシ１１ａ，１１ｂの搬送ユニット５の後述するローラ１８と相対する表面に取り付けられている。
【００３１】
さらに、前述した移動シャーシ１１ａと、複数の移動シャーシ１１のうち矢印Ｋ方向の中央に位置する移動シャーシ１１（以下、符号１１ｃで示す）との周板１３には、図５などに示すように、略鉛直に延びるようにして形成された鉛直孔１５が一対に設けられている。一対の鉛直孔１５は、互いに奥行き方向Ｙに沿って間隔をあけて配されている。鉛直孔１５は、矢印Ｋと厚み方向Ｚとの双方に沿って直線状に延びている。
【００３２】
さらに、前述した移動シャーシ１１ｂ，１１ｃは、互いに周板１３が重ねられている。図示例では、移動シャーシ１１ｃの周板１３が、移動シャーシ１１ｂの周板１３の機器本体４の幅方向Ｘの外側に重ねられている。また、移動シャーシ１１ｂの周板１３には、複数の突出ピン１６が取り付けられている。突出ピン１６は、前述した鉛直孔１５と後述するスライドシャーシ２８のスライド孔４２との双方に通されている。突出ピン１６は、鉛直孔１５とスライドシャーシ２８のスライド孔４２との双方の中を移動自在となっている。このため、移動シャーシ１１ｂ，１１ｃは、突出ピン１６が鉛直孔１５内を移動することで、矢印Ｋに沿って、互いに接離する。なお、接離とは、互いに近づいたたり離れることを示している。
【００３３】
搬送ユニット５は、機器本体４内に収容されており、前述した挿入口８の近傍に配置されている。搬送ユニット５は、移動シャーシ１１ｃに取り付けられている。搬送ユニット５は、図５ないし図７、図９ないし図１１などに示すように、板金などからなるローラアーム１７と、ローラ１８と、を備えている。
【００３４】
ローラアーム１７は、長手方向が機器本体４の幅方向Ｘと平行な帯状に形成されている。ローラアーム１７は、幅方向Ｘの挿入口８寄りの一方の縁部を中心として、移動シャーシ１１ｃの挿入口８寄りの縁部に回転自在に支持されている。ローラアーム１７の回転中心は、機器本体４の幅方向Ｘに沿っている。ローラアーム１７は、幅方向Ｘの機器本体４の奥側の他方の縁部が前述した最も下方に位置する移動シャーシ１１ａに近づく方向に、図示しないコイルばねによって付勢されている。また、ローラアーム１７には、駆動源としての図示しないモータが取り付けられている。
【００３５】
ローラ１８は、ローラアーム１７の前記他方の縁部に回転自在に支持されている。ローラ１８の回転中心は、機器本体４の幅方向に沿っている。ローラ１８は、前述したローラアーム１７に取り付けられたモータによりその軸芯回りに回転される。
【００３６】
また、ローラ１８両端には、図５ないし図７に示すように、突出ピン５１が設けられている。突出ピン５１は、ローラ１８の両端から該ローラ１８の軸芯則ち機器本体４の幅方向Ｘに沿って突出している。突出ピン５１は、移動シャーシ１１ｃの周板１３のローラ支持孔１９内に挿入されている。
【００３７】
前述した構成によって、搬送ユニット５は、ローラアーム１７の一方の縁部を中心として回転することで、図４に示すローラ１８が移動シャーシ１１ｂに取り付けられたディスクガイド２０との間にＤＶＤ３を挟む位置と、図８に示すローラ１８が移動シャーシ１１ａに取り付けられたディスクガイド２０との間にＣＤ２を挟む位置とに亘って変位自在である。
【００３８】
なお、図４に示す位置は、移動シャーシ１１ｃに取り付けられた再生ユニット６にＤＶＤ３を搬送可能な状態をなしている。また、図８に示す位置は、移動シャーシ１１ａに取り付けられた再生ユニット６にＣＤ２を搬送可能な状態をなしている。
【００３９】
搬送ユニット５は、図４に示す位置又は図８に示す位置に位置付けられて、モータによりローラ１８が回転されることで、該ローラ１８とディスクガイド２０との間にＤＶＤ３又はＣＤ２を挟んで、該ＤＶＤ３又はＣＤ２を機器本体４に出し入れする。搬送ユニット５は、ローラ１８とディスクガイド２０との間にＤＶＤ３又はＣＤ２を挟んで、機器本体４に挿入されるＤＶＤ３又はＣＤ２を再生ユニット６まで搬送する。このように、搬送ユニット５は、挿入口８を介して入れられたＣＤ２及びＤＶＤ３を機器本体４内に搬送する。
【００４０】
このように、搬送ユニット５は、ローラアーム１７が前述した一方の縁部を中心として移動シャーシ１１ｃに回転自在に支持されて、ローラ１８がモータにより回転されることで、複数の再生ユニット６のうちいずれかにＤＶＤ３又はＣＤ２を搬送する。また、搬送ユニット５は、ローラアーム１７が前述した一方の縁部を中心として移動シャーシ１１ｃに回転自在に支持されることで、各再生ユニット６にＤＶＤ３又はＣＤ２を搬送可能な位置間を変位自在に設けられている。
【００４１】
再生ユニット６は、図示例では、二つ設けられている。これら二つの再生ユニット６のうち移動シャーシ１１ａに取り付けられた再生ユニット６を以下第１の再生ユニットと呼び符号６ａで示し、移動シャーシ１１ｃに取り付けられた再生ユニット６を以下第２の再生ユニットと呼び符号６ｂで示す。第１及び第２の再生ユニット６ａ，６ｂは、特許請求の範囲に記載した情報処理部をなしている。
【００４２】
第１の再生ユニット６ａは、前述したＣＤ２を再生するためのユニットであり、主に前述した移動シャーシ１１ａの移動シャーシ１１ｃと相対する表面側に設けられている。第１の再生ユニット６ａは、図２に示すように、回転テーブル２１と、スピンドルモータ２２と、ピックアップ部２３と、駆動部としての駆動ユニット２４（図１２などに示す）とを備えている。
【００４３】
回転テーブル２１は、移動シャーシ１１ａの中央に回転自在に設けられている。回転テーブル２１は、円盤状のテーブル本体２５と、複数の図示しないクランプ爪とを備えている。テーブル本体２５は、表面上にＣＤ２が位置付けられる。クランプ爪は、一端部がテーブル本体２５の表面から凸没自在に設けられている。クランプ爪は、一端部がテーブル本体２５の表面から突出する方向に付勢されている。
【００４４】
クランプ爪は、テーブル本体２５の表面上に重ねられたＣＤ２から一端部がテーブル本体２５に向かって押圧されると、該一端部がテーブル本体２５の表面下に没する。そして、クランプ爪は、再び、一端部が回転テーブル２１のテーブル本体２５の表面から突出して、該一端部とテーブル本体２５との間にＣＤ２を挟んでクランプする。このとき、回転テーブル２１は、移動シャーシ１１ａ，１１ｃ間にＣＤ２を位置付ける。
【００４５】
スピンドルモータ２２は、移動シャーシ１１ａに取り付けられ、その出力軸に回転テーブル２１のテーブル本体２５を取り付けている。スピンドルモータ２２は、回転テーブル２１のテーブル本体２５と同軸に配されている。スピンドルモータ２２は、回転テーブル２１のテーブル本体２５をその軸芯回りに回転する。
【００４６】
前述した構成によって、回転テーブル２１は、スピンドルモータ２２の駆動力により、クランプ爪とテーブル本体２５との間に挟んだＣＤ２とともに軸芯回りに回転する。則ち、回転テーブル２１とスピンドルモータ２２は、機器本体４内に収容されたＣＤ２を回転させる。
【００４７】
ピックアップ部２３は、再生部としての光ピックアップ２６と、光ピックアップ移動部とを備えている。光ピックアップ２６は、ＣＤ２から情報を読み出す。光ピックアップ移動部は、回転テーブル２１にクランプされたＣＤ２の径方向に沿って、光ピックアップ２６を移動する。
【００４８】
ピックアップ部２３は、光ピックアップ２６をＣＤ２の径方向に移動して、回転テーブル２１にクランプされたＣＤ２の任意の位置から情報を読み出す。
【００４９】
駆動ユニット２４は、駆動源部２７（図１２ないし図１４に示す）と、一対のスライドシャーシ２８（図９ないし図１１に示す）と、一対の昇降シャーシ２９とを備えている。駆動源部２７は、図１２ないし図１４に示すように、駆動源としてのモータ３０と、伝達部３１と、リンクシャーシ３２と、駆動シャーシ３３と、一対の案内孔３４と、一対の連結シャーシ３５とを備えている。
【００５０】
モータ３０は、移動シャーシ１１ａの平板部１２の移動シャーシ１１ｃと相対する表面に取り付けられている。モータ３０の出力軸にはウォームが取り付けられている。モータ３０は、移動シャーシ１１ａの機器本体４の奥側の端部で一方の周板１３寄りの位置に設けられている。
【００５１】
伝達部３１は、移動シャーシ１１ａの平板部１２に回転自在に設けられているとともに、互いに噛み合う複数の歯車３６を備えている。複数の歯車３６のうち一つは、前述したウォームと噛み合っている。
【００５２】
リンクシャーシ３２は、平面形状が略Ｌ字状に形成されている。リンクシャーシ３２は、その中央部を中心として回転自在に移動シャーシ１１ａの平板部１２に支持されている。リンクシャーシ３２のモータ３０寄りの一端部は、前述した伝達部３１の他の一つの歯車３６と連結している。リンクシャーシ３２は、モータ３０により伝達部３１の複数の歯車３６が回転されると、中央部を中心として回転する。
【００５３】
駆動シャーシ３３は、板金で構成されて、平面形状が略Ｔ字状に形成されている。駆動シャーシ３３は、移動シャーシ１１ａの平板部１２の移動シャーシ１１ｃと相対する表面に重ねられているとともに、該移動シャーシ１１ａの平板部１２に前記奥行き方向Ｙに沿って移動自在に設けられている。さらに、駆動シャーシ３３には、リンクシャーシ３２の機器本体４の中央寄りの他端部が連結している。駆動シャーシ３３は、モータ３０の駆動力によりリンクシャーシ３２が中央部を中心として回転することで、奥行き方向Ｙに沿ってスライドする。
【００５４】
また、駆動シャーシ３３には、一対の横孔３７が設けられている。横孔３７は、それぞれ、駆動シャーシ３３を貫通している。横孔３７は、互いに間隔をあけて配されている。横孔３７は、それぞれ、機器本体４の幅方向Ｘに沿って直線状に延びている。
【００５５】
案内孔３４は、移動シャーシ１１ａの平板部１２を貫通している。案内孔３４は、駆動シャーシ３３の横孔３７と重なる位置に設けられている。一対の案内孔３４は、機器本体４の幅方向Ｘに沿って間隔をあけて配されている。
【００５６】
一対の案内孔３４は、近接傾斜部３８と、直線部３９とを備えている。近接傾斜部３８は、奥行き方向Ｙに沿って該機器本体４の奥に向かうにしたがって、一対の案内孔３４が徐々に近づく方向に、前述した奥行き方向Ｙと幅方向Ｘとの双方に対して傾斜している。直線部３９は、近接傾斜部３８の挿入口８寄りの端に連なっており、前述した奥行き方向Ｙに沿って直線状に延びている。
【００５７】
一対の連結シャーシ３５は、それぞれ、板金で構成されて、帯状に形成されている。一対の連結シャーシ３５は、その長手方向が機器本体４の幅方向Ｘと平行な状態で、駆動シャーシ３３上に重ねられている。また、一対の連結シャーシ３５は、機器本体４の幅方向Ｘに沿って、互いに間隔をあけて配されている。一対の連結シャーシ３５は、駆動シャーシ３３に機器本体４の幅方向Ｘ（則ち連結シャーシ３５自身の長手方向）に沿って、移動自在に支持されている。
【００５８】
一対の連結シャーシ３５の機器本体４の内側寄りの一端部には、摺動ピン４０が取り付けられ、機器本体４の外側寄りの他端部には、ストッパ部としてのストッパピン４１が設けられている。
【００５９】
摺動ピン４０は、連結シャーシ３５の一端部から移動シャーシ１１ａの平板部１２に向かって立設している。一対の連結シャーシ３５のうち図２中右側の一方の連結シャーシ３５の一端部に取り付けられた摺動ピン４０は、一対の横孔３７のうち図１２中右側の一方の横孔３７内と一対の案内孔３４のうち図１２中右側の一方の案内孔３４内との双方に侵入している。一対の連結シャーシ３５のうち図１２中左側の他方の連結シャーシ３５の一端部に取り付けられた摺動ピン４０は、一対の横孔３７のうち図１２中左側の他方の横孔３７内と一対の案内孔３４のうち図１２中左側の他方の案内孔３４内との双方に侵入している。
【００６０】
また、ストッパピン４１は、連結シャーシ３５の他端部から機器本体４の幅方向Ｘに沿って直線状に延びている。ストッパピン４１は、周板１３とスライドシャーシ２８との双方を貫通している。さらに、ストッパピン４１は、摺動ピン４０が案内孔３４の近接傾斜部３８の機器本体４の奥側の端部に位置付けられると、スライドシャーシ２８の表面と略面一になる。
【００６１】
ストッパピン４１は、摺動ピン４０が案内孔３４の直線部３９内に位置付けられると、スライドシャーシ２８の表面から機器本体４の幅方向Ｘに沿って外方向に突出して、移動シャーシ１１ａが機器本体４に対してＸ方向に移動することを規制する。則ち、ストッパピン４１は、第１の再生ユニット６ａ及び移動シャーシ１１ａを機器本体４に固定する。このように、複数の再生ユニット６ａ，６ｂのうち矢印Ｋ方向の端に位置する第１の再生ユニット６ａは、機器本体４と固定されるストッパピン４１を備えている。前述した構成のストッパピン４１は、搬送ユニット５が複数の再生ユニット６ａ，６ｂのうちいずれかに前記ＣＤ２又はＤＶＤ３を搬送する際に、機器本体４に対して第１の再生ユニット６ａを固定する。
【００６２】
スライドシャーシ２８は、板金で構成され、かつ長手方向が前述した奥行き方向Ｙと略平行な帯状に形成されている。スライドシャーシ２８は、移動シャーシ１１ａの周板１３の外側に重ねられている。スライドシャーシ２８には、前述したストッパピン４１が係合している。スライドシャーシ２８は、ストッパピン４１とともに、奥行き方向Ｙに沿ってスライド自在に前述した周板１３に支持されている。
【００６３】
スライドシャーシ２８には、複数のスライド孔４２が設けられている。スライド孔４２は、スライドシャーシ２８を貫通している。スライド孔４２は、スライドシャーシ２８の長手方向則ち機器本体４の奥行き方向Ｙに沿って、互いに間隔をあけて配されている。スライド孔４２は、傾斜部４３と、水平部４４とを備えている。
【００６４】
傾斜部４３は、挿入口８に向かうにしたがって、徐々に他の移動シャーシ１１ｂ，１１ｃから離れるように、前述した奥行き方向Ｙと厚み方向Ｚとの双方に対して傾斜している。水平部４４は、傾斜部４３の挿入口８寄りの端部でかつ該挿入口８寄りの端より中央寄りの箇所に連通している。水平部４４は、奥行き方向Ｙ則ち移動シャーシ１１ａの平板部１２の表面と略平行に直線状に延びている。水平部４４は、傾斜部４３から挿入口８に向かって略水平に延在している。このため、傾斜部４３の挿入口８寄りの端部には、水平部４４より他の移動シャーシ１１ｂ，１１ｃから離れた底部４５が設けられている。
【００６５】
昇降シャーシ２９は、板金で構成され、かつ移動シャーシ１１ａの周板１３の内側に重ねられる鉛直部４６と、該鉛直部４６の端に連なる水平部４７とを一体に備えている。鉛直部４６は、長手方向が前述した奥行き方向Ｙと略平行な帯状に形成されている。鉛直部４６は、周板１３の機器本体４の内側の表面に重ねられている。鉛直部４６には、突出ピン４８が複数取り付けられている。突出ピン４８は、周板１３に設けられた鉛直孔１５とスライドシャーシ２８に設けられたスライド孔４２との双方に侵入している。突出ピン４８は、鉛直孔１５とスライド孔４２との双方の中を移動自在となっている。
【００６６】
さらに、昇降シャーシ２９には、図９ないし図１１に示すように、一対の回動ピン１０１が取り付けられている。回動ピン１０１は、一対の突出ピン４８間に設けられている。回動ピン１０１は、鉛直部４６から幅方向Ｘに沿って外方向に突出している。
【００６７】
水平部４７は、長手方向が前述した奥行き方向Ｙと略平行な帯状に形成されている。水平部４７は、鉛直部４６の他の移動シャーシ１１ｂ，１１ｃ寄りの縁に連なっている。水平部４７は、移動シャーシ１１ａの平板部１２と略平行に形成されている。水平部４７には、前述した移動シャーシ１１ｃの平板部１２が取り付けられている。
【００６８】
前述した駆動ユニット２４は、モータ３０の駆動力により駆動シャーシ３３を奥行き方向Ｙに沿ってスライドさせることで、連結シャーシ３５の摺動ピン４０を案内孔３４及び横孔３７内で移動させて、連結シャーシ３５を奥行き方向Ｙに沿って移動させるとともに、連結シャーシ３５のストッパピン４１をスライドシャーシ２８から突没させる。また、駆動ユニット２４は、連結シャーシ３５を奥行き方向Ｙに沿ってスライドさせることで、スライドシャーシ２８を奥行き方向Ｙに沿ってスライドさせる。このとき、移動シャーシ１１ａの周板１３は、連結シャーシ３５則ちスライドシャーシ２８のスライドを許容する（妨げない）。
【００６９】
また、駆動ユニット２４は、スライドシャーシ２８を奥行き方向Ｙに沿ってスライドさせることで、突出ピン４８をスライド孔４２と鉛直孔１５内で移動させて、昇降シャーシ２９を厚み方向Ｚに沿ってスライドさせる。そして、駆動ユニット２４は、昇降シャーシ２９を厚み方向Ｚに沿ってスライドさせることで、移動シャーシ１１ａ，１１ｃ同士を互いに接離させる。このとき、突出ピン４８が、傾斜部４３の挿入口８から離れた側の端部に位置すると、移動シャーシ１１ａ，１１ｃの平板部１２同士が最も離れる。さらに、突出ピン４８が、スライド孔４２の底部４５に位置すると、移動シャーシ１１ａ，１１ｃの平板部１２同士が最も近づく。このように、駆動ユニット２４は、モータ３０の駆動力により、スライドシャーシ２８を奥行き方向Ｙに沿ってスライドさせて、移動シャーシ１１ａ，１１ｃを矢印Ｋに沿って移動して、該移動シャーシ１１ａ，１１ｃ同士を接離させる。
【００７０】
また、駆動ユニット２４のスライドシャーシ２８と移動シャーシ１１ａの周板１３との間には、それぞれ、一対の支持アーム４９（図８に示す）が設けられている。一対の支持アーム４９は、奥行き方向Ｙに沿って、互いに間隔をあけて配置されている。支持アーム４９は、長手方向の中央部を中心として回転自在に周板１３に支持されている。
【００７１】
挿入口８寄りの一方の支持アーム４９の挿入口８寄りの一端部には、前述した突出ピン４８を通す長孔が設けられている。長孔の長手方向は、支持アーム４９の長手方向と略平行である。また、挿入口８から離れた側の他方の支持アーム４９の挿入口８から離れた側の一端部には、前述した突出ピン４８を通す長孔が設けられている。長孔の長手方向は、支持アーム４９の長手方向と略平行である。
【００７２】
このため、スライドシャーシ２８が奥行き方向Ｙに沿ってスライドして、突出ピン４８が鉛直孔１５内を移動することで、支持アーム４９は、中央部を中心として回転する。
【００７３】
さらに、第１の再生ユニット６ａのスライドシャーシ２８には、図９ないし図１１に示すように、回動アーム１００が取り付けられている。回動アーム１００はその長手方向の中央部を中心として回転自在にスライドシャーシ２８に取り付けられている。回動アーム１００は、スライドシャーシ２８が挿入口８寄りに位置付けられると、該挿入口８から離れた側の一端部が回動ピン１０１に当接する。回動アーム１００は、一端部が回動ピン１０１に当接すると、挿入口８寄りの他端部が第２の再生ユニット６ｂに向かって突出する方向に回転する。回動アーム１００は、他端部が第２の再生ユニット６ｂに向かって突出すると、該他端部がローラ１８則ち搬送ユニット５を持ち上げる。また、回動アーム１００は、図示しないばねにより他端部が第２の再生ユニット６ｂから離れる方向に付勢されている。
【００７４】
第２の再生ユニット６ｂは、前述したＤＶＤ３を再生するためのユニットであり、主に前述した移動シャーシ１１ｃの移動シャーシ１１ｂと相対する表面に設けられている。第２の再生ユニット６ｂの構成は、第１の再生ユニット６ａの構成を略等しいので、同一箇所には同一符号を付して説明する。
【００７５】
第２の再生ユニット６ｂの回転テーブル２１と、スピンドルモータ２２と、ピックアップ部２３と、駆動ユニット２４とは、それぞれ、前述した移動シャーシ１１ｃの前述した表面に取り付けられている。回転テーブル２１は、ＤＶＤ３をクランプする。回転テーブル２１は、移動シャーシ１１ｂ，１１ｃ間にＤＶＤ３を位置付ける。スピンドルモータ２２は、回転テーブル２１にクランプされたＤＶＤ３を、回転テーブル２１とともに回転する。ピックアップ部２３は、ＤＶＤ３から情報を読み出す。
【００７６】
駆動ユニット２４は、駆動源部２７と、一対のスライドシャーシ２８とを備えている。駆動源部２７の駆動源としてのモータ３０と、伝達部３１と、リンクシャーシ３２と、駆動シャーシ３３と、一対の案内孔３４と、一対の連結シャーシ３５とは、それぞれ、移動シャーシ１１ｃの平板部１２に設けられている。駆動源部２７の案内孔３４は、前述した近接傾斜部３８が設けられることなく、その全長に亘って奥行き方向Ｙに沿って直線状に延びている。このため、連結シャーシ３５の他端部に設けられたストッパピン４１は、スライドシャーシ２８の表面と常に略面一となる。則ち、第２の再生ユニット６ｂは、機器本体４と固定されない。
【００７７】
スライドシャーシ２８は、移動シャーシ１１ｃの周板１３に重ねられている。スライドシャーシ２８は、移動シャーシ１１ｃの周板１３より機器本体４の外側に配されている。スライドシャーシ２８の挿入口８寄りの先端部には、テーパ面５０が設けられている。テーパ面５０は、挿入口８に向かうにしたがって移動シャーシ１１ａに近づく方向に、前述した奥行き方向Ｙと厚み方向Ｚとの双方に対して傾斜している。テーパ面５０は、スライドシャーシ２８が挿入口８に向かってスライドされると、搬送ユニット５のローラ１８の両端に設けられた突出ピン５１と当接する。テーパ面５０は、突出ピン５１が当接すると、該テーパ面５０に沿って突出ピン５１を移動させる。
【００７８】
則ち、回動アーム１００の他端部がローラ１８則ち搬送ユニット５を持ち上げ、スライドシャーシ２８は、テーパ面５０に突出ピン５１を接触させることで、前述したコイルばねの付勢力に抗して搬送ユニット５のローラアーム１７を変位させて、該搬送ユニット５を図８に示す位置から図４に示す位置に変位させる。このように、テーパ面５０とコイルばねと回動アーム１００は、搬送ユニット５の位置を、図４に示す位置と図８に示す位置とのうちのいずれかに切り換える。則ち、テーパ面５０とコイルばねと回動アーム１００は、特許請求の範囲に記載された切り換え手段をなしている。
【００７９】
スライドシャーシ２８に設けられたスライド孔４２の傾斜部４３は、挿入口８に向かうにしたがって、徐々に移動シャーシ１１ａに近づくように、前述した奥行き方向Ｙと厚み方向Ｚとの双方に対して傾斜している。
【００８０】
前述した第２の再生ユニット６ｂの駆動ユニット２４は、モータ３０の駆動力により駆動シャーシ３３を奥行き方向Ｙに沿ってスライドさせることで、連結シャーシ３５の摺動ピン４０を案内孔３４内で移動させて、連結シャーシ３５を奥行き方向Ｙに沿って移動させる。また、第２の再生ユニット６ｂの駆動ユニット２４は、連結シャーシ３５を奥行き方向Ｙに沿ってスライドさせることで、スライドシャーシ２８を奥行き方向Ｙに沿ってスライドさせる。このとき、移動シャーシ１１ｃの周板１３は、連結シャーシ３５則ちスライドシャーシ２８のスライドを許容する（妨げない）。
【００８１】
また、第２の再生ユニット６ｂの駆動ユニット２４は、スライドシャーシ２８を奥行き方向Ｙに沿ってスライドさせることで、突出ピン１６をスライド孔４２と鉛直孔１５内で移動させて、移動シャーシ１１ｂを厚み方向Ｚに沿ってスライドさせる。そして、第２の再生ユニット６ｂの駆動ユニット２４は、移動シャーシ１１ｂを厚み方向Ｚに沿ってスライドさせることで、移動シャーシ１１ｂ，１１ｃ同士を互いに接離させる。このとき、突出ピン１６が、傾斜部４３の挿入口８から離れた側の端部に位置すると、移動シャーシ１１ｂ，１１ｃの平板部１２同士が最も離れる。さらに、突出ピン１６が、スライド孔４２の底部４５に位置すると、移動シャーシ１１ｂ，１１ｃの平板部１２同士が最も近づく。このように、第２の再生ユニット６ｂの駆動ユニット２４は、モータ３０の駆動力により、スライドシャーシ２８を奥行き方向Ｙに沿ってスライドさせて、移動シャーシ１１ｂ，１１ｃを矢印Ｋに沿って移動して、該移動シャーシ１１ｂ，１１ｃ同士を接離させる。
【００８２】
また、移動シャーシ１１ｃの周板１３には、それぞれ、一対の支持アーム５２（図４に示す）が取り付けられている。一対の支持アーム５２は、奥行き方向Ｙに沿って、互いに間隔をあけて配置されている。支持アーム５２は、長手方向の中央部を中心として回転自在に周板１３に支持されている。
【００８３】
挿入口８寄りの一方の支持アーム５２の挿入口８から離れた側の一端部には、前述したスライドシャーシ２８のテーパ面５０が当接可能である。一方の支持アーム５２は、挿入口８寄りの他端部が機器本体４の天井に位置する内面（移動シャーシ１１ｂと相対する内面）から離れる方向に付勢されている。
【００８４】
また、挿入口８から離れた側の他方の支持アーム５２の挿入口８から離れた側の一端部には、前述したスライドシャーシ２８の挿入口８から離れた側の基端部が係止している。
【００８５】
このため、スライドシャーシ２８が奥行き方向Ｙに沿ってスライドして、該スライドシャーシ２８の先端部及び基端部が接離することで、支持アーム５２は、中央部を中心として回転する。
【００８６】
前述した構成の再生ユニット６ａ，６ｂの駆動ユニット２４は、互いに独立して動作するようになっている。則ち、再生ユニット６ａ，６ｂの駆動ユニット２４は、モータ３０の駆動力が相互に干渉しない。このように、再生ユニット６ａ，６ｂの駆動ユニット２４は、再生ユニット６ａ，６ｂそれぞれを相対的に独立してＣＤ２及びＤＶＤ３の搬送方向に対して略垂直な方向に移動する。
【００８７】
再生ユニット６ａ，６ｂの駆動ユニット２４は、再生ユニット６ａ，６ｂにおけるいずれかの回転テーブル２１にＣＤ２及びＤＶＤ３をクランプする際には、当該回転テーブル２１を有する移動シャーシ１１ａ，１１ｃと他の移動シャーシ１１ｃ，１１ｂとを相対的に近づける。さらに、再生ユニット６ａ，６ｂの駆動ユニット２４は、搬送ユニット５が再生ユニット６ａ，６ｂのうちのいずれかにＣＤ２及びＤＶＤ３を搬送する際に、他の再生ユニット６ａ，６ｂの回転テーブル２１を有する移動シャーシ１１ａ，１１ｃを他の移動シャーシ１１ｃ，１１ｂに近づける。
【００８８】
前述した構成の再生ユニット６ａ，６ｂは、ピックアップ部２３が互いに独立してＣＤ２及びＤＶＤ３に記録された情報の再生が可能である。則ち、再生ユニット６ａ，６ｂのピックアップ部２３は、相互に干渉しない。則ち、再生ユニット６ａ，６ｂは、それぞれがＣＤ２及びＤＶＤ３を装填して同時に前記情報の再生が可能である。
【００８９】
マイコン７は、図１２に示すように、周知のＲＯＭ５３と、ＲＡＭ５４と、ＣＰＵ５５とを備えた演算装置である。マイコン７は、第１及び第２の再生ユニット６ａ，６ｂの前述したモータ３０などと接続して、即ち、スイッチ１０、蛍光表示管９、搬送ユニット５、第１の再生ユニット６ａ及び第２の再生ユニット６ｂに接続して、これらの動作を制御して、ディスクプレーヤ１全体の制御をつかさどる。
【００９０】
ＲＯＭ５３は、ＣＰＵ５５の動作プログラムなどを記憶している。ＲＡＭ５４は、ＣＰＵ５５の演算実行時に必要なデータを一時的に保持する。ＣＰＵ５５は、ＲＯＭ５３に記憶された動作プログラムやスイッチ１０からの命令などに基づいて、前述した蛍光表示管９、搬送ユニット５、第１の再生ユニット６ａ及び第２の再生ユニット６ｂなどを制御する。
【００９１】
前述した構成のディスクプレーヤ１は、ＤＶＤ３及びＣＤ２を機器本体４に収容して、これらのＤＶＤ３及びＣＤ２を同時に再生する際には、ＣＰＵ５５則ちマイコン７が搬送ユニット５と第１及び第２の再生ユニット６ａ，６ｂなどを以下に示すように制御する。
【００９２】
まず、機器本体４にＤＶＤ３とＣＤ２との双方を収容していない待機状態では、ＣＰＵ５５則ちマイコン７は、第１の再生ユニット６ａと第２の再生ユニット６ｂの双方のモータ３０を制御して、図３に示すように、スライドシャーシ２８を最も挿入口８から離れた位置に位置付けておく。すると、第１及び第２の再生ユニット６ａ，６ｂの駆動ユニット２４の連結シャーシ３５の一端部に設けられた摺動ピン４０が、図１４に示すように、駆動シャーシ３３の横孔３７の機器本体４の内側寄りの端部と、移動シャーシ１１ａに設けられた案内孔３４の近接傾斜部３８の最も挿入口８から離れた側の端部内に位置する。そして、連結シャーシ３５の他端部に設けられたストッパピン４１の先端がスライドシャーシ２８の表面と略面一になり、第１の再生ユニット６ａと第２の再生ユニット６ｂと移動シャーシ１１ａ，１１ｂ，１１ｃがダンパ１４により機器本体４に対して移動自在となっている。
【００９３】
また、図１１に示すように、第１の再生ユニット６ａの駆動ユニット２４の昇降シャーシ２９の突出ピン４８が、スライドシャーシ２８のスライド孔４２の水平部４４の挿入口８寄りの端部に位置し、移動シャーシ１１ａの鉛直孔１５の下端部内に位置する。そして、移動シャーシ１１ａ，１１ｃ同士が互いに近づいている。
【００９４】
さらに、図７に示すように、移動シャーシ１１ｂの突出ピン１６が、第２の再生ユニット６ｂの駆動ユニット２４のスライドシャーシ２８のスライド孔４２の水平部４４の挿入口８寄りの端部に位置し、移動シャーシ１１ｃの鉛直孔１５の下端部内に位置する。そして、駆動シャーシ１１ｂ，１１ｃ同士が互いに近づいている。さらに、図１５に示すように、搬送ユニット５は、ローラ１８が移動シャーシ１１ａに取り付けられたディスクガイド２０に近づいた状態となっている。
【００９５】
この状態からＤＶＤ３を挿入するためにスイッチ１０が操作されると、ＣＰＵ５５則ちマイコン７は、第１及び第２の再生ユニット６ａ，６ｂのモータ３０を制御して、第１及び第２の再生ユニット６ａ，６ｂのスライドシャーシ２８を徐々に挿入口８に向かって移動する。ＣＰＵ５５則ちマイコン７は、図１０に示すように、第１の再生ユニット６ａの昇降シャーシ２９の突出ピン４８がスライドシャーシ２８のスライド孔４２の底部４５内に略位置すると、第１の再生ユニット６ａのモータ３０を停止する。
【００９６】
すると、第１の再生ユニット６ａの昇降シャーシ２９の突出ピン４８が、移動シャーシ１１ａの鉛直孔１５の下端部（最も他の移動シャーシ１１ｂ，１１ｃから離れた位置）に位置して、移動シャーシ１１ａ，１１ｂ同士が最も近づいた状態に位置付けられる。また、第１の再生ユニット６ａの駆動ユニット２４の連結シャーシ３５の一端部に設けられた摺動ピン４０が、図１３に示すように、駆動シャーシ３３の横孔３７の機器本体４の外側寄りの端部と、移動シャーシ１１に設けられた案内孔３４の直線部３９の挿入口８から離れた側の端部内に位置する。そして、連結シャーシ３５の他端部に設けられたストッパピン４１の先端がスライドシャーシ２８の表面から突出する。こうして、ストッパピン４１により第１の再生ユニット６ａと移動シャーシ１１ａが機器本体４に固定される。則ち、第１の再生ユニット６ａと移動シャーシ１１ａとを介して、第２の再生ユニット６ｂと移動シャーシ１１ｂ，１１ｃとが、ストッパピン４１により機器本体４に固定される。
【００９７】
ＣＰＵ５５則ちマイコン７は、移動シャーシ１１ｂの突出ピン１６が、第２の再生ユニット６ｂの駆動ユニット２４のスライドシャーシ２８のスライド孔４２の挿入口８から離れた側の端部に位置すると、第２の再生ユニット６ｂの駆動ユニット２４のモータ３０を停止する。
【００９８】
すると、移動シャーシ１１ｂの突出ピン１６が、移動シャーシ１１ｃの鉛直孔１５の上端部（最も他の移動シャーシ１１ａから離れた位置）と、第２の再生ユニット６ｂのスライドシャーシ２８のスライド孔４２の傾斜部４３の挿入口８から離れた側の端部に位置して、図１６に示すように、移動シャーシ１１ｂ，１１ｃ同士が最も離れた状態に位置付けられる。また、第２の再生ユニット６ｂの駆動ユニット２４の連結シャーシ３５の一端部に設けられた摺動ピン４０が、移動シャーシ１１に設けられた案内孔３４の挿入口８寄りの端部内に位置する。
【００９９】
また、第２の再生ユニット６ｂのスライドシャーシ２８が挿入口８に向かうにしたがって、該スライドシャーシ２８のテーパ面５０に搬送ユニット５のローラ１８の両端から突出した突出ピン５１が当接するとともに、前記搬送ユニット５のローラ１８の両端から突出した突出ピン５１がテーパ面５０上を摺動する。そして、搬送ユニット５は、ローラ１８が移動シャーシ１１ｂに取り付けられたディスクガイド２０に近づいた第２の再生ユニット６ｂにＤＶＤ３を搬送する位置に位置付けられる。
【０１００】
さらに、第２の再生ユニット６ｂのスライドシャーシ２８が挿入口８に向かうにしたがって、該スライドシャーシ２８のテーパ面５０が移動シャーシ１１に取り付けられた挿入口８寄りの支持アーム５２の一端部に当接するとともに、該支持アーム５２の一端部を挿入口８に向かって押圧する。そして、支持アーム５２は、中央部を中心として回転して、該支持アーム５２の他端部が、移動シャーシ１１ｃの周板１３より機器本体４の天井に位置する内面に向かって突出するとともに、該天井に位置する内面に当接する。
【０１０１】
また、第２の再生ユニット６ｂのスライドシャーシ２８が挿入口８に向かうにしたがって、該スライドシャーシ２８の挿入口８から離れた側の基端部が係止しているので、挿入口８より離れた側の支持アーム５２は、中央部を中心として回転する。そして、該支持アーム５２は、当該挿入口８より離れた側の一端部が、移動シャーシ１１ｃの周板１３より機器本体４の天井に位置する内面に向かって突出するとともに、該天井に位置する内面に当接する。
【０１０２】
すると、図４に示すように、ダンパ１４の弾性復元力に抗して、前述した天井に位置する内面から離されて、第２の再生ユニット６ｂは、奥行き方向Ｙに沿って挿入口８と並ぶ位置に位置付けられる。
【０１０３】
そして、ＣＰＵ５５則ちマイコン７は、搬送ユニット５のモータを機器本体４内にＤＶＤ３を収容する方向に駆動する。そして、挿入口８内を通ってＤＶＤ３が機器本体４内に挿入されると、図１６に示すように、搬送ユニット５のローラ１８が第２の再生ユニット６ｂに向けてＤＶＤ３を搬送する。移動シャーシ１１ｂ，１１ｃの平板部１２間にＤＶＤ３の全体が位置付けられると、ＣＰＵ５５則ちマイコン７は、搬送ユニット５のモータを停止するとともに、第２の再生ユニット６ｂのスライドシャーシ２８が挿入口８から離れる方向にモータ３０を駆動する。
【０１０４】
すると、第２の再生ユニット６ｂのスライドシャーシ２８が徐々に挿入口８から離れるのにしたがって、移動シャーシ１１ｂの突出ピン１６がスライドシャーシ２８のスライド孔４２の傾斜部４３内を水平部４４に向けて移動する。すると、スライド孔４２が前述したように傾斜しているので、突出ピン１６が移動シャーシ１１ｃの鉛直孔１５内を下方に向かって徐々に移動する。そして、移動シャーシ１１ｂ，１１ｃ同士が互いに徐々に近づく。
【０１０５】
図６に示すように、移動シャーシ１１ｂの突出ピン１６がスライドシャーシ２８のスライド孔４２の底部４５内に位置すると、移動シャーシ１１ｂ，１１ｃ同士が最も近づいて、移動シャーシ１１ｂにより第２の再生ユニット６ｂの回転テーブル２１のテーブル本体２５に向かってＤＶＤ３が押圧される。すると、第２の再生ユニット６ｂの回転テーブル２１のクランプ爪が一旦テーブル本体２５の表面下に没した後、再度テーブル本体２５の表面から突出して、クランプ爪がテーブル本体２５との間にＤＶＤ３を挟んでクランプする。こうして、移動シャーシ１１ｂの突出ピン１６がスライドシャーシ２８のスライド孔４２の底部４５内に位置すると、第２の再生ユニット６ｂの回転テーブル２１がＤＶＤ３をクランプする。
【０１０６】
その後、移動シャーシ１１ｂの突出ピン１６がスライドシャーシ２８のスライド孔４２の水平部４４内に侵入して、移動シャーシ１１ｂ，１１ｃ同士が若干離れた後、移動シャーシ１１ｂの突出ピン１６がスライドシャーシ２８のスライド孔４２の水平部４４の挿入口８寄りの端部に位置付けられる。この状態で、ＣＰＵ５５則ちマイコン７は、第２の再生ユニット６ｂのモータ３０を停止する。また、スライドシャーシ２８が挿入口８から徐々に離れるのにしたがって、第２の再生ユニット６ｂの挿入口８寄りの支持アーム５２の他端部と挿入口８から離れた側の支持アーム５２の一端部が天井に位置する内面から徐々に離れて、第２の再生ユニット６ｂの挿入口８寄りの支持アーム５２の他端部と挿入口８から離れた側の支持アーム５２の一端部が移動シャーシ１１の周板１３に重なる位置に位置付けられる。こうして、第２の再生ユニット６ｂにＤＶＤ３を搬送する。
【０１０７】
また、ＣＰＵ５５則ちマイコン７は、第２の再生ユニット６ｂにＤＶＤ３を搬送した後、第１の再生ユニット６ａのスライドシャーシ２８を最も挿入口８から離れた位置に位置付ける。この状態で、第２の再生ユニット６ｂが、ＤＶＤ３の情報を読み出して、再生する。なお、この状態では、図１７に示すように、回転テーブル２１にＤＶＤ３をクランプする位置より、移動シャーシ１１ｂ，１１ｃ同士が離れているので、移動シャーシ１１ｂなどがＤＶＤ３の再生を妨げないとともに、ダンパ１４により第２の再生ユニット６ｂは、機器本体４に対して移動自在となっている。
【０１０８】
また、この状態からＣＤ２を挿入するためにスイッチ１０が操作されると、ＣＰＵ５５則ちマイコン７は、第１及び第２の再生ユニット６ａ，６ｂのモータ３０を制御して、第１及び第２の再生ユニット６ａ，６ｂのスライドシャーシ２８を徐々に挿入口８に向かって移動する。ＣＰＵ５５則ちマイコン７は、図６に示すように、移動シャーシ１１ｂの突出ピン１６が第２の再生ユニット６ｂのスライドシャーシ２８のスライド孔４２の底部４５内に位置すると、第２の再生ユニット６ｂのモータ３０を停止する。
【０１０９】
すると、移動シャーシ１１ｂの突出ピン１６が、移動シャーシ１１ｃの鉛直孔１５の下端部（最も他の移動シャーシ１１ａに近づいた位置）に位置して、移動シャーシ１１ｂ，１１ｃ同士が最も近づいた状態に位置付けられる。
【０１１０】
ＣＰＵ５５則ちマイコン７は、図９に示すように、第１の再生ユニット６ａの昇降シャーシ２９の突出ピン４８が、スライドシャーシ２８のスライド孔４２の挿入口８から離れた側の端部に位置すると、第１の再生ユニット６ａの駆動ユニット２４のモータ３０を停止する。
【０１１１】
すると、図１２に示すように、第１の再生ユニット６ａの駆動ユニット２４の連結シャーシ３５の一端部に設けられた摺動ピン４０が、駆動シャーシ３３の横孔３７の機器本体４の外側寄りの端部と、移動シャーシ１１に設けられた案内孔３４の直線部３９の挿入口８寄りの端部内に位置する。そして、連結シャーシ３５の他端部に設けられたストッパピン４１の先端がスライドシャーシ２８の表面から突出して、機器本体４の内面に設けられた摺動溝内に侵入する。こうして、ストッパピン４１により第１の再生ユニット６ａと移動シャーシ１１ａが機器本体４に固定される。
【０１１２】
また、第１の再生ユニット６ａの昇降シャーシ２９の突出ピン４８が、移動シャーシ１１ａの鉛直孔１５の上端部（最も他の移動シャーシ１１ｂ，１１ｃに近づいた位置）と、第１の再生ユニット６ａのスライドシャーシ２８のスライド孔４２の傾斜部４３の挿入口８から離れた側の端部に位置して、移動シャーシ１１ａ，１１ｂ同士が最も離れた状態に位置付けられる。
【０１１３】
また、移動シャーシ１１ｂの突出ピン１６が第２の再生ユニット６ｂのスライドシャーシ２８のスライド孔４２の底部４５に位置すると、第２の再生ユニット６ｂのスライドシャーシ２８が停止するので、第２の再生ユニット６ｂのスライドシャーシ２８のテーパ面５０が搬送ユニット５のローラ１８の突出ピン５１と間隔をあける。さらに、図９に示すように、回動アーム１００の一端部が回動ピン１０１と間隔をあけて、ばねの付勢力により、回動アーム１００は、他端部がローラ１８から退避する。すると、搬送ユニット５は、コイルばねの付勢力によって、ローラ１８が移動シャーシ１１ａのディスクガイド２０に近づいた第１の再生ユニット６ａにＣＤ２を搬送する位置に位置付けられる。
【０１１４】
さらに、第１の再生ユニット６ａのスライドシャーシ２８が挿入口８に向かうにしたがって、昇降シャーシ２９の突出ピン４８が鉛直孔１５内を上方に向かって移動するので、スライドシャーシ２８と周板１３との間に位置付けられた支持アーム４９の一端部が徐々に上方に向かって移動する。すると、支持アーム４９が回転して、該支持アーム４９の他端部が移動シャーシ１１ａの周板１３より機器本体４の底に位置する内面に向かって突出するとともに、該底に位置する内面に当接する。
【０１１５】
すると、図８に示すように、ダンパ１４の弾性復元力に抗して、前述した底に位置する内面から離されて、第１の再生ユニット６ａは、奥行き方向Ｙに沿って挿入口８を並ぶ位置に位置付けられる。
【０１１６】
そして、ＣＰＵ５５則ちマイコン７は、搬送ユニット５のモータ３０を機器本体４内にＣＤ２を収容する方向に駆動する。そして、挿入口８内を通ってＣＤ２が機器本体４内に挿入されると、図１８に示すように、搬送ユニット５のローラ１８が第１の再生ユニット６ａに向けてＣＤ２を搬送する。移動シャーシ１１ａ，１１ｃの平板部１２間にＣＤ２の全体が位置付けられると、ＣＰＵ５５則ちマイコン７は、搬送ユニット５のモータを停止するとともに、第１の再生ユニット６ａのスライドシャーシ２８が挿入口８から離れる方向にモータ３０を駆動する。
【０１１７】
すると、第１の再生ユニット６ａのスライドシャーシ２８が徐々に挿入口８から離れるのにしたがって、昇降シャーシ２９の突出ピン４８がスライドシャーシ２８のスライド孔４２の傾斜部４３内を水平部４４に向けて移動する。すると、スライド孔４２が前述したように傾斜しているので、突出ピン４８が移動シャーシ１１の鉛直孔１５内を下方に向かって徐々に移動する。そして、移動シャーシ１１ａ，１１ｃ同士が互いに徐々に近づく。
【０１１８】
図１０に示すように、昇降シャーシ２９の突出ピン４８がスライドシャーシ２８のスライド孔４２の底部４５内に位置すると、移動シャーシ１１ａ，１１ｃ同士が最も近づいて、移動シャーシ１１ｃにより第１の再生ユニット６ａの回転テーブル２１のテーブル本体２５に向かってＣＤ２が押圧される。すると、第１の再生ユニット６ａの回転テーブル２１のクランプ爪が一旦テーブル本体２５の表面下に没した後、再度テーブル本体２５の表面から突出して、クランプ爪がテーブル本体２５との間にＣＤ２を挟んでクランプする。こうして、昇降シャーシ２９の突出ピン４８がスライドシャーシ２８のスライド孔４２の底部４５内に位置すると、第１の再生ユニット６ａの回転テーブル２１がＣＤ２をクランプする。
【０１１９】
また、昇降シャーシ２９の突出ピン４８がスライドシャーシ２８のスライド孔４２の底部４５内に位置すると、図１３に示すように、連結シャーシ３５の摺動ピン４０が案内孔３４の直線部３９の挿入口８から離れた側の端部に位置する。
【０１２０】
その後、昇降シャーシ２９の突出ピン４８がスライドシャーシ２８のスライド孔４２の水平部４４内に侵入して、移動シャーシ１１ａ，１１ｃ同士が若干離れた後、図１１に示すように、昇降シャーシ２９の突出ピン４８がスライドシャーシ２８のスライド孔４２の水平部４４の挿入口８寄りの端部に位置付けられる。この状態で、ＣＰＵ５５則ちマイコン７は、モータ３０を停止する。また、昇降シャーシ２９の突出ピン４８がスライドシャーシ２８のスライド孔４２の水平部４４内を移動すると、連結シャーシ３５の摺動ピン４０が案内孔３４の近接傾斜部３８内を移動して、スライドシャーシ２８が挿入口８から離れるのにしたがって、連結シャーシ３５のストッパピン４１が機器本体４の内側に徐々に没する。そして、摺動ピン４０が案内孔３４の近接傾斜部３８の挿入口８から離れた側の端部に位置する。
【０１２１】
また、スライドシャーシ２８が挿入口８から徐々に離れるのにしたがって、第１の再生ユニット６ａの支持アーム４９の他端部が機器本体４の底に位置する内面から徐々に離れて、前記他端部が移動シャーシ１１ａの周板１３に重なる位置に、支持アーム４９が位置付けられる。こうして、第１の再生ユニット６ａにＤＶＤ３を搬送する。
【０１２２】
また、ＣＰＵ５５則ちマイコン７は、第１の再生ユニット６ａにＤＶＤ３を搬送した後、第２の再生ユニット６ｂのスライドシャーシ２８を最も挿入口８から離れた位置に位置付ける。この状態で、第１の再生ユニット６ａが、ＣＤ２の情報を読み出して、再生する。なお、この状態では、図１９に示すように、回転テーブル２１にＣＤ２をクランプする位置より、移動シャーシ１１ａ，１１ｂ同士が離れているので、移動シャーシ１１ｃなどがＣＤ２の再生を妨げないとともに、ダンパ１４により第１の再生ユニット６ａは、機器本体４に対して移動自在となっている。
【０１２３】
なお、前述した説明では、ＤＶＤ３を第２の再生ユニット６ｂに搬送した後、ＣＤ２を第１の再生ユニット６ａに搬送している。しかしながら、前述した実施例のディスクプレーヤ１は、ＤＶＤ３を第２の再生ユニット６ｂに搬送することなく、ＣＤ２を第１の再生ユニット６ａに搬送しても良く、ＣＤ２を第１の再生ユニット６ａに搬送することなく、ＤＶＤ３を第２の再生ユニット６ｂに搬送しても良い。要するに、本実施例のディスクプレーヤ１は、再生ユニット６ａ，６ｂの駆動ユニット２４を相互に独立させて動作させることで、再生ユニット６ａ，６ｂを相対的に独立して移動させて、任意の再生ユニット６ａ，６ｂに任意のＣＤ２又はＤＶＤ３を任意の順番で搬送すれば良い。
【０１２４】
また、任意の再生ユニット６ａ，６ｂに任意のＣＤ２又はＤＶＤ３を任意の順番で搬送する際には、ディスクプレーヤ１は、必ず、第１の再生ユニット６ａの駆動ユニット２４の連結シャーシ３５のストッパピン４１で第１及び第２の再生ユニット６ａ，６ｂを機器本体４に固定する。
【０１２５】
要するに、ディスクプレーヤ１は、第１の再生ユニット６ａと第２の再生ユニット６ｂのうちいずれかにＣＤ２又はＤＶＤ３を出し入れする際に、ストッパピン４１が前記機器本体４に対して矢印Ｋ方向の端に位置する第１の再生ユニット６ａを固定する。
【０１２６】
また、ディスクプレーヤ１は、再生ユニット６ａ，６ｂのうち一方にＣＤ２又はＤＶＤ３を搬送する際に、再生ユニット６ａ，６ｂのうち他方の突出ピン４８，１６をスライドシャーシ２８のスライド孔４２の底部４５に位置付けて、互いの間に前述した他方を位置付ける移動シャーシ１１ａ，１１ｂ，１１ｃ同士を最も近づけるようにしても良い。
【０１２７】
要するに、ディスクプレーヤ１は、ＣＰＵ５５則ちマイコン７が、第１の再生ユニット６ａと第２の再生ユニット６ｂのうち一つの再生ユニット６ａ，６ｂに前記ＣＤ２又はＤＶＤ３を出し入れする際には、他の再生ユニット６ａ，６ｂの回転テーブル２１を該回転テーブル２１が支持された移動シャーシ１１ａ，１１ｂ，１１ｃとは異なる他の移動シャーシ１１ａ，１１ｂ，１１ｃに近づけるように、前記駆動ユニット２４を制御するようにしても良い。
【０１２８】
さらに、前述したディスクプレーヤ１は、任意の再生ユニット６ａ，６ｂの回転テーブル２１に任意のＣＤ２又はＤＶＤ３をクランプする際には、クランプする再生ユニット６ａ，６ｂの突出ピン４８，１６をスライドシャーシ２８のスライド孔４２の底部４５に位置付けて、ＣＤ２又はＤＶＤ３を移動シャーシ１１ａ，１１ｂ，１１ｃ間に挟んで、回転テーブル２１にＣＤ２又はＤＶＤ３をクランプするようにしても良い。
【０１２９】
要するに、ディスクプレーヤ１は、第１及び第２の再生ユニット６ａ，６ｂが回転テーブル２１にＣＤ２又はＤＶＤ３をクランプする際に、ＣＰＵ５５則ちマイコン７が、ＣＤ２又はＤＶＤ３をクランプする回転テーブル２１を該回転テーブル２１が支持された移動シャーシ１１ａ，１１ｂ，１１ｃとは異なる他の移動シャーシ１１ａ，１１ｂ，１１ｃに近づけて、第１及び第２の再生ユニット６ａ，６ｂの回転テーブル２１にＣＤ２又はＤＶＤ３をクランプさせるようにしても良い。
【０１３０】
本実施例によれば、機器本体４内に複数の再生ユニット６ａ，６ｂを収容することで、複数のＣＤ２及びＤＶＤ３などの記録媒体を同時に再生することを可能にしている。このため、一つの機器本体４を設置するだけで、複数の記録媒体を同時に再生することが可能になる。
【０１３１】
さらに、機器本体４内の複数の再生ユニット６ａ，６ｂをＣＤ２及びＤＶＤ３の搬送方向に略垂直な方向に互いに独立して移動自在とする駆動ユニット２４を設けている。このため、各々の再生ユニット６ａ，６ｂに単一の挿入口８からのＣＤ２及びＤＶＤ３の搬送が可能となる。したがって、複数のＣＤ２及びＤＶＤ３の再生を同時に行うために必要とされる設置スペースを増加させることなく、複数のＣＤ２及びＤＶＤ３からの情報の再生が可能となる。
【０１３２】
また、機器本体４にＣＤ２及びＤＶＤ３などの記録媒体を出し入れする挿入口８を一つのみ設けている。このため、機器本体４に挿入口８を複数（再生ユニット６ａ，６ｂと同数）設ける場合よりも機器本体４の小型化を図ることができる。したがって、設置にかかるスペースをより確実に減少させることができる。
【０１３３】
さらに、ＣＤ２及びＤＶＤ３などの記録媒体を機器本体４に出し入れする搬送ユニット５を、各再生ユニット６ａ，６ｂに記録媒体に搬送可能な状態に変位自在に設け、該搬送ユニット５を所望の再生ユニット６ａ，６ｂに記録媒体を搬送可能な状態に切り換える切り換え手段としてのコイルばねとテーパ面５０と回動アーム１００を備えている。このため、一つの搬送ユニット５で、各再生ユニット６ａ，６ｂに確実に記録媒体を搬送することができる。したがって、一つの搬送ユニット５で各再生ユニット６ａ，６ｂに記録媒体を搬送できるので、複数の再生ユニット６ａ，６ｂを設けても機器本体４の大型化を防止でき、搬送ユニット５を複数（再生ユニット６ａ，６ｂと同数）設ける場合よりも設置にかかるスペースをより確実に減少させることができる。
【０１３４】
また、回転テーブル２１を移動シャーシ１１ｂ，１１ｃに近づけて、回転テーブル２１に記録媒体をクランプさせるので、回転テーブル２１との間に記録媒体を挟む（クランプ）するクランプアームなどを設ける必要がない。したがって、機器本体４の大型化を防止でき、設置にかかるスペースをより確実に減少させることができる。
【０１３５】
また、一つの再生ユニット６ａ，６ｂに記録媒体を出し入れする際に、他の再生ユニット６ａ，６ｂの回転テーブル２１を移動シャーシ１１ｂ，１１ｃに近づけるので、記録媒体を出し入れする再生ユニット６ａ，６ｂ以外の再生ユニット６ａ，６ｂでは回転テーブル２１が移動シャーシ１１に近づく。このため、一つの再生ユニット６ａ，６ｂに記録媒体を出し入れする際に、機器本体４内でのデッドスペースを減少させることができる。したがって、機器本体４の大型化を防止でき、設置にかかるスペースをより確実に減少させることができる。
【０１３６】
矢印Ｋ方向の端に位置する第１の再生ユニット６ａが、機器本体４に固定されるストッパピン４１を備え、いずれかの再生ユニット６ａ，６ｂに記録媒体を出し入れする際にストッパピン４１で前述した端に位置する第１の再生ユニット６ａを機器本体４に対して固定する。このため、機器本体４に記録媒体を出し入れする際に、機器本体４に対して再生ユニット６ａ，６ｂが位置決めされる。したがって、機器本体４に挿入された記録媒体を再生ユニット６ａ，６ｂに向けて確実に搬送でき、機器本体４外に排出される記録媒体を再生ユニット６ａ，６ｂから確実に機器本体４外に排出できる。
【０１３７】
また、矢印Ｋ方向の端に位置する移動シャーシ１１ａにダンパ１４を取り付けている。端に位置する移動シャーシ１１ａの元々機器本体４に対する移動範囲が、前述した矢印Ｋ方向の中央に位置する移動シャーシ１１ｃの移動範囲よりも狭い。このように、移動範囲の比較的狭い移動シャーシ１１ａにダンパ１４を取り付けるため、該ダンパ１４が移動シャーシ１１ａを移動させる範囲も当然狭くても良い。このため、ダンパ１４の大型化を防止して、該ダンパ１４の小型化を図ることができる。したがって、機器本体４の大型化を防止でき、設置にかかるスペースをより確実に減少させることができる。
【０１３８】
また、本発明では、図２０に示すように、再生ユニット６ａ，６ｂが回転テーブル２１との間のＣＤ２又はＤＶＤ３を挟んでクランプするクランパ５６を備えても良い。該クランパ５６は、円板状に形成されて、移動シャーシ１１ｂ，１１ｃに回転自在に設けられる。なお、図２０において、前述した実施例と同一部分には、同一符号を付して説明を省略する。
【０１３９】
さらに、本発明では、図２１及び図２２に示すように、第１及び第２の再生ユニット６ａ，６ｂ双方のスピンドルモータ２２とピックアップ部２３を移動シャーシ１１ｃに取り付けても良い。この場合、ＣＤ２とＤＶＤ３との間に光ピックアップ２６が位置するので、機器本体４のより一層の小型化を図ることができる。なお、図２１及び図２２において、前述した図示例と同一部分には、同一符号を付して説明を省略する。
【０１４０】
また、本発明では、図２３及び図２４に示すように、第１及び第２の再生ユニット６ａ，６ｂ双方のスピンドルモータ２２を共用しても良い、則ち一つのスピンドルモータ２２で複数の回転テーブル２１を回転するようにしても良い。この場合、スピンドルモータ２２の数を削減できるので、機器本体４のより一層の小型化を図ることができる。なお、図２３及び図２４において、前述した図示例と同一部分には、同一符号を付して説明を省略する。
【０１４１】
前述した実施例では、情報処理部としての再生ユニット６ａ，６ｂを二つ設けている。しかしながら、本発明では、情報処理部としての再生ユニット６ａ，６ｂを三つ以上設けて良い。
【０１４２】
また、前述した実施例では、記録媒体としてのＣＤ２とＤＶＤ３とを同時に再生可能なディスクプレーヤ１を示している。しかしながら、本発明では、ＣＤ２やＤＶＤ３やこれら以外の記録媒体の再生を同時に行っても良い。
【０１４３】
さらに、前述した実施例では、情報処理部として再生ユニット６ａ，６ｂを用いている。しかしながら、本発明では、情報処理部として、記録媒体への情報の記録が可能な記録ユニットを用いても良く、記録媒体への情報の記録と記録媒体の情報の再生との双方が可能な記録・再生ユニットを用いても良い。要するに、本発明では、記録媒体への情報の記録と記録媒体の情報の再生とのうちの少なくとも一方が可能なユニットを複数収容すれば良い。
【０１４４】
また、情報処理部としてのユニット６ａを記録媒体に情報を記録するための記録ユニットとし、情報処理部としての再生ユニット６ｂによる記録媒体の情報の再生と、記録ユニット６ａによる記録媒体への情報の記録を同時に行うようにしても良い。そうすれば、再生ユニット６ｂにより再生された情報を記録ユニット６ａにて記録媒体にダビングすることが可能となる。
【０１４５】
また、前述した実施例では、再生ユニット６ａ，６ｂのうち一方にＣＤ２及びＤＶＤ３を搬送する際に、再生ユニット６ａ，６ｂの双方のスライドシャーシ２８を挿入口８に近づける方向にスライドさせている。しかしながら、本発明では、少なくともＣＤ２及びＤＶＤ３を搬送する一方の再生ユニット６ａ，６ｂのスライドシャーシ２８を挿入口８に近づける方向にスライドさせれば良く、他方のスライドシャーシ２８を挿入口８から遠ざけたまま、該他方がＣＤ２又はＤＶＤ３からの情報の再生を行っても良い。
【０１４６】
さらに、前述した実施例では、ダンパ１４を移動シャーシ１１ａに取り付けている。しかしながら、本発明は、他の移動シャーシ１１ｂ，１１ｃにダンパ１４を取り付けても良い。要するに、本発明では、移動シャーシ１１ａ，１１ｂ，１１ｃのうち少なくとも一つにダンパ１４を取り付ければ良い。
【０１４７】
また、前述した実施例では、第１の再生ユニット６ａのストッパピン４１が、再生ユニット６ａ，６ｂを機器本体４に固定している。しかしながら、本発明では、第２の再生ユニット６ｂのストッパピン４１が、再生ユニット６ａ，６ｂを機器本体４に固定しても良い。要するに、本発明では、複数の情報処理部のうち少なくとも一つに機器本体４に情報処理部を固定するストッパ部を設ければ良い。
【０１４８】
前述した実施例によれば、以下のディスクプレーヤ１が得られる。
【０１４９】
（付記１）  機器本体４の内外を連通し、かつ前記機器本体４にＣＤ２又はＤＶＤ３を出し入れするための単一の挿入口８と、
前記挿入口８を介して入れられた前記ＣＤ２又はＤＶＤ３を前記機器本体４内に搬送する搬送ユニット５と、
それぞれが前記機器本体４内に収容され、前記ＣＤ２又はＤＶＤ３に記録された情報の再生が可能である複数の再生ユニット６ａ，６ｂと、
前記複数の再生ユニット６ａ，６ｂそれぞれを相対的に独立して前記ＣＤ２又はＤＶＤ３の搬送方向に対して略垂直な方向に移動する駆動ユニット２４と、
を備えたことを特徴とするディスクプレーヤ１。
【０１５０】
（付記２）  前記複数の再生ユニット６ａ，６ｂは、それぞれが前記ＣＤ２又はＤＶＤ３を装填して同時に前記情報の再生が可能であることを特徴とする付記１記載のディスクプレーヤ１。
【０１５１】
（付記３）  前記搬送ユニット５は、前記挿入口８から入れられた前記ＣＤ２又はＤＶＤ３を前記複数の再生ユニット６ａ，６ｂのうちいずれかに搬送するとともに、各再生ユニット６ａ，６ｂに前記ＣＤ２又はＤＶＤ３を搬送可能な位置間を変位自在に設けられ、
前記搬送ユニット５の位置を、各再生ユニット６ａ，６ｂにＣＤ２又はＤＶＤ３を搬送可能な位置のうちのいずれかに切り換えるテーパ面５０及び回動アーム１００を備えたことを特徴とする付記１又は２記載のディスクプレーヤ１。
【０１５２】
（付記４）
前記機器本体４には、前記略垂直な方向に互いに間隔をあけて配され、かつ前記駆動ユニット２４により互いに接離自在に設けられた複数の移動シャーシ１１ａ，１１ｂ，１１ｃが設けられ、
前記複数の再生ユニット６ａ，６ｂが、それぞれ、前記移動シャーシ１１ａ，１１ｃに回転自在に設けられかつ前記ＣＤ２又はＤＶＤ３をクランプ可能な回転テーブル２１を有し、
前記駆動ユニット２４は、前記複数の再生ユニット６ａ，６ｂにおけるいずれかの回転テーブル２１に前記ＣＤ２又はＤＶＤ３をクランプする際には、当該回転テーブル２１を有する移動シャーシ１１ａ，１１ｃと他の移動シャーシ１１ｃ，１１ｂとを相対的に近づけることを特徴とする付記１ないし付記３のうちいずれか一項に記載のディスクプレーヤ１。
【０１５３】
（付記５）  前記搬送ユニット５が前記複数の再生ユニット６ａ，６ｂのうちの一の再生ユニット６ａ，６ｂに前記ＣＤ２又はＤＶＤ３を搬送する際に、前記駆動ユニット２４は、他の再生ユニット６ａ，６ｂの回転テーブル２１を有する移動シャーシ１１ａ，１１ｃを他の移動シャーシ１１ｃ，１１ｂに近づけることを特徴とする付記４記載のディスクプレーヤ１。
【０１５４】
（付記６）  前記複数の再生ユニット６ａ，６ｂのうち少なくとも一つは、前記機器本体４に固定するためのストッパピン４１を有し、
前記搬送ユニット５が前記複数の再生ユニット６ａ，６ｂのうちいずれかの再生ユニット６ａ，６ｂに前記ＣＤ２又はＤＶＤ３を搬送する際に、前記ストッパピン４１が前記機器本体４に対して前記再生ユニット６ａ，６ｂを固定することを特徴とする付記１ないし付記５のうちいずれか一項に記載のディスクプレーヤ１。
【０１５５】
（付記７）  前記複数の移動シャーシ１１ａ，１１ｂ，１１ｃのうちの少なくとも一つに、当該移動シャーシ１１ａを前記機器本体４に対して移動自在に支持するとともに、当該移動シャーシ１１ａの移動を減衰させるダンパ１４を取り付けたことを特徴とする付記４ないし付記６のうちいずれか一項に記載のディスクプレーヤ１。
【０１５６】
付記１によれば、機器本体４内の複数の再生ユニット６ａ，６ｂをＣＤ２及びＤＶＤ３の搬送方向に略垂直な方向に互いに独立して移動自在とする駆動ユニット２４を設けている。このため、各々の再生ユニット６ａ，６ｂに単一の挿入口８からのＣＤ２及びＤＶＤ３の搬送が可能となる。したがって、複数のＣＤ２及びＤＶＤ３の再生を同時に行うために必要とされる設置スペースを増加させることなく、複数のＣＤ２及びＤＶＤ３からの情報の再生が可能となる。
【０１５７】
また、機器本体４にＣＤ２及びＤＶＤ３などの記録媒体を出し入れする挿入口８を一つのみ設けている。このため、機器本体４に挿入口８を複数（再生ユニット６ａ，６ｂと同数）設ける場合よりも機器本体４の小型化を図ることができる。したがって、設置にかかるスペースをより確実に減少させることができる。
【０１５８】
なお、前述した実施例は本発明の代表的な形態を示したに過ぎず、本発明は、実施例に限定されるものではない。即ち、本発明の骨子を逸脱しない範囲で種々変形して実施することができる。
【図１】
0004418494.tif 000002
【図２】
0004418494.tif 000003
【図３】
0004418494.tif 000004
【図４】
0004418494.tif 000005
【図５】
0004418494.tif 000006
【図６】
0004418494.tif 000007
【図７】
0004418494.tif 000008
【図８】
0004418494.tif 000009
【図９】
0004418494.tif 000010
【図１０】
0004418494.tif 000011
【図１１】
0004418494.tif 000012
【図１２】
0004418494.tif 000013
【図１３】
0004418494.tif 000014
【図１４】
0004418494.tif 000015
【図１５】
0004418494.tif 000016
【図１６】
0004418494.tif 000017
【図１７】
0004418494.tif 000018
【図１８】
0004418494.tif 000019
【図１９】
0004418494.tif 000020
【図２０】
0004418494.tif 000021
【図２１】
0004418494.tif 000022
【図２２】
0004418494.tif 000023
【図２３】
0004418494.tif 000024
【図２４】
0004418494.tif 000025